(57)【要約】【課題】同時に記録し再生することと、記録手段としてＤＶＤを使用しつつ、過去にＤＶＤに記録されていたＡＶデータ信号も再生すること。【解決手段】エンコーダ１と、デコーダ２と、ハードディスクドライブＨＤＤ３と、ＤＶＤディスクドライブ４と、リムーバブルディスク記録媒体ＤＶＤ５と、記録再生制御部６から構成されるディスク記録再生装置であって、ＨＤＤ３の記憶領域が、ＡＶデータ領域とキャッシュ領域から構成され、記録再生制御部６が、同時にＤＶＤ５に記録と再生を行う場合、記録符号化データを一旦ＨＤＤ３のキャッシュ領域に記憶し、ＤＶＤ５に記録されている符号化データを再生することに影響が無い範囲で、キャッシュ領域に記憶された記録符号化データを再生してＤＶＤ５に記録するように制御する。【選択図】　　図１
2004118944.tif 000002
【特許請求の範囲】
【請求項１】
エンコーダと、デコーダと、ハードディスクドライブＨＤＤと、ディスクドライブと、リムーバブルディスク記録媒体と、記録再生制御部から構成されるディスク記録再生装置であって、
ＨＤＤの記憶領域が、ＡＶデータ領域とキャッシュ領域から構成され、
記録再生制御部が、同時にリムーバブルディスク記録媒体に記録と再生を行う場合、記録符号化データを一旦ＨＤＤのキャッシュ領域に記憶し、リムーバブルディスク記録媒体に記録されている符号化データを再生することに影響が無い範囲で、キャッシュ領域に記憶された記録符号化データを再生してリムーバブルディスク記録媒体に記録するように制御する、
ことを特徴とするディスク記録再生装置。
【請求項２】
請求項１に記載されたディスク記録再生装置において、
前記リムーバブルディスク記録媒体としてＤＶＤ−ＲＷを採用することを特徴とするディスク記録再生装置。
【発明の詳細な説明】
【０００１】
【発明の属する技術分野】
本発明は、例えばＤＶＤ等のリムーバブルディスク記録媒体（本明細書ではＤＶＤで代表する）を記録し再生するディスク記録再生装置に関し、特に動画・音声を含むＡＶデータ信号の記録、再生を同時に行うディスク記録再生装置に関する。
【０００２】
【従来の技術】
記録技術の向上により、リムーバブルディスク記録媒体は、その記録容量が格段に大きくなり、又ビット当たりの記録単価も低下し、種々の用途に使用されている。例えば動画・音声を含むＡＶデータ信号を記録再生可能なＤＶＤは、映画や音楽ビデオやゲームソフト等の利用が見込まれている。そして、ＤＶＤを再生している間にも所望のＡＶデータ信号を記録したいという要望がある。
【０００３】
ところで、従来から、動画・音声を含むＡＶデータ信号を同時に記録し再生する装置として、ハードディスクドライブＨＤＤを有するディスク記録再生装置が知られている（例えば、特許文献１）。
【０００４】
このディスク記録再生装置は、図１７に示すように、記録側に、入力メモリ手段１１と、圧縮処理手段１２と、バッファメモリ手段１３を、再生側に、出力メモリ手段１４と、伸張処理手段１５と、バッファメモリ手段１６を設け、更に、圧縮処理手段１２の平均符号化レート（単位時間当たりの圧縮された画像の平均データ量）を制御する符号量制御手段１７と、バッファメモリ手段１３，１６とＨＤＤ２１との間の転送タイミング調整及び転送レートの変換調整を行うバッファメモリ制御手段１８と、記録／再生切り換え用スイッチ１９と、インターフェース手段２０と、ＨＤＤ２１と、全体を制御する制御手段２２から構成されている。
【０００５】
それらバッファメモリ手段１３，１６にＡＶデータ信号を例えばＭＰＥＧ２で符号化して符号化データとして蓄え、それらバッファメモリ手段１３，１６を記録／再生切り換え用スイッチ１９により時分割で切り換えてＨＤＤ２１に接続することにより、高速で書き込み或いは読み出し、実質的に同時に記録し再生することを可能にしている。
【０００６】
また、従来から、動画・音声を含むＡＶデータ信号を同時に記録し再生する装置として、ＤＶＤとＨＤＤを有するディスク記録再生装置も知られている（例えば、特許文献２）。
【０００７】
このディスク記録再生装置は、ＡＶデータ信号を記録する場合、ＤＶＤとＨＤＤの両方に同時に（但し時分割で）同じＡＶデータ信号を記録するもので、この記録時に再生指示がある時は、同じＡＶデータ信号を継続してＤＶＤに記録しつつ、ＨＤＤに記録した同じＡＶデータ信号をＨＤＤから出力して再生するものである。
【０００８】
【特許文献１】
特開平８−２７９９７６号公報
【０００９】
【特許文献２】
特開２００１−３３２０３６号公報
【００１０】
【発明が解決しようとする課題】
ところで、前者のディスク記録再生装置では、記録手段としてＨＤＤを用いるが、一般的ＨＤＤはＤＶＤに比べて大容量ではあるものの交換が行えないため容量（記録時間）に限りがあり、データ量が大きい動画・音声を含むＡＶデータ信号を多数記録することが出来ない。これに対して、ＤＶＤは交換出来るため、容量（記録時間）に限りが無く、ＡＶデータ信号を多数記録することが出来る。そこで、記録手段としてＤＶＤを使用したいが、単にＨＤＤに代えてＤＶＤを用いることは、ＨＤＤの転送レートが遅くとも１００Ｍｂｐｓ以上であるのに対して、ＤＶＤの転送レートは１０〜２０Ｍｂｐｓ程度と低速であり、またＨＤＤよりもアクセスに伴うオーバーヘッドも多いので、バッファメモリ手段を備えたとしても同時に記録し再生することは困難であるという問題があった。
【００１１】
また、後者のディスク記録再生装置では、再生はＨＤＤから行うので、現在記録しつつあるＡＶデータ信号しか再生出来ず、過去にＤＶＤに記録されていたＡＶデータ信号は再生出来ないという問題があった。
【００１２】
本発明は、以上述べた従来技術の問題点に鑑みてなされたものであり、同時に記録し再生することが出来、記録手段としてＤＶＤを使用しつつ、過去にＤＶＤに記録されていたＡＶデータ信号も再生することが出来るディスク記録再生装置を提供することを目的とする。
【００１３】
【課題を解決するための手段】
上記目的を達成するために、
請求項１の記載に係る発明は、
エンコーダと、デコーダと、ハードディスクドライブＨＤＤと、ディスクドライブと、リムーバブルディスク記録媒体と、記録再生制御部から構成されるディスク記録再生装置であって、
ＨＤＤの記憶領域が、ＡＶデータ領域とキャッシュ領域から構成され、
記録再生制御部が、同時にリムーバブルディスク記録媒体に記録と再生を行う場合、記録符号化データを一旦ＨＤＤのキャッシュ領域に記憶し、リムーバブルディスク記録媒体に記録されている符号化データを再生することに影響が無い範囲で、キャッシュ領域に記憶された記録符号化データを再生してリムーバブルディスク記録媒体に記録するように制御する、
ことを特徴とする。
【００１４】
請求項２の記載に係る発明は、
請求項１に記載されたディスク記録再生装置において、
前記リムーバブルディスク記録媒体としてＤＶＤ−ＲＷを採用することを特徴とする。
【００１５】
【発明の実施の形態】
以下、本発明のディスク記録再生装置の実施例について図１〜図１６を用いて説明する。図１は本発明のディスク記録再生装置の構成を、図２〜図７は本発明のＨＤＤ３とＤＶＤ５に対する記録と再生の基本概念を、図２は本発明のＨＤＤ３の記憶領域の構成及びＤＶＤ５への記録の基本概念を、図３は本発明のＨＤＤ３への記録の基本概念を、図４、図５は本発明のＤＶＤ５からの再生の基本概念（１）、（２）を、図６は本発明のＨＤＤ３からの再生の基本概念を、図７は本発明の図２〜図６の基本概念の纏めを、図８〜図１３は本発明のＨＤＤ３とＤＶＤ５に対する同時の記録と再生の概念を、図８、図９は本発明のＤＶＤ５への記録とＤＶＤ５からの再生の概念（１）、（２）を、図１０は本発明のＤＶＤ５への記録とＨＤＤ３からの再生の概念を、図１１は本発明のＨＤＤ３への記録とＨＤＤ３からの再生の概念を、図１２、図１３は本発明のＨＤＤ３への記録とＤＶＤ５からの再生の概念（１）、（２）を、図１４は本発明のＨＤＤ３とディスクドライブ４の、記録時の動作のフローチャートを、図１５は本発明のＨＤＤ３とディスクドライブ４の、再生時（キャッシュ使用）の動作のフローチャートを、図１６は本発明のＨＤＤ３とディスクドライブ４の、再生時（キャッシュ不使用）の動作のフローチャートを、それぞれ示す図である。
【００１６】
図１において、本発明のディスク記録再生装置は、エンコーダ１と、デコーダ２と、ハードディスクドライブＨＤＤ３と、ＤＶＤディスクドライブ４と、ＤＶＤ５と、記録再生制御部６から構成される。エンコーダ１は、オーディオ信号やビデオ信号等の動画・音声を含むＡＶデータ信号を入力し、例えばＭＰＥＧ２で符号化して記録符号化データとしてＨＤＤ３に記憶する。ＨＤＤ３は、図２に示すように、その記憶領域が、ＡＶデータ領域とキャッシュ領域から構成される。ＡＶデータ領域は、ＡＶデータ信号を格納しておく領域である。キャッシュ領域は、通常は空き領域としておき、ＤＶＤを用いて同時に記録と再生を行う場合に使用する領域であり、その名の通り符号化データを直ぐ再生出来るように記憶しておく記憶領域であると共に、バッファメモリとしての機能も有する。デコーダ２は、ＨＤＤ３からの再生符号化データを伸張処理等してオーディオ信号やビデオ信号等の動画・音声を含むＡＶデータ信号に変換して出力する。ＤＶＤディスクドライブ４は、ＨＤＤ３からの記録データをＤＶＤ５に記録し、及びＤＶＤ５からの再生データをＨＤＤ３に記憶する。記録再生制御部６は、ディスク記録再生装置の各構成要素の動作を制御するが、特に、図１４〜図１６に示す記録と再生の動作を制御する。
【００１７】
始めに、図２〜図７を用いて、本発明のＨＤＤ３とＤＶＤ５に対する記録と再生の基本概念を説明する。
【００１８】
図２は、ＤＶＤ５への記録の基本概念を示している。図２において、エンコーダ１から出力された記録符号化データを、一旦ＨＤＤ３のキャッシュ領域に記憶する。次いで、キャッシュ領域に記憶された記録符号化データを再生して、ＤＶＤ５に記録する。
【００１９】
図３は、ＨＤＤ３への記録の基本概念を示している。図３において、エンコーダ１から出力された記録符号化データを、ＨＤＤ３のＡＶデータ領域に記録する。
【００２０】
図４は、ＤＶＤ５からの再生の基本概念（１）を示している。図４において、ＤＶＤ５に記録されている符号化データを再生し、再生符号化データとして、一旦ＨＤＤ３のキャッシュ領域に記憶する。次いで、キャッシュ領域に記憶された再生符号化データを再生して、デコーダ２に出力する。再生符号化データを一旦ＨＤＤ３のキャッシュ領域に記憶することで、ＤＶＤ５からの再生が滞った場合でも、キャッシュ領域に記憶している再生符号化データは途切れることなく再生することができる。
【００２１】
図５は、ＤＶＤ５からの再生の基本概念（２）を示している。図５において、ＤＶＤ５に記録されている符号化データを再生し、再生符号化データとして、ＨＤＤ３のキャッシュ領域を使用すること無しに、直接デコーダ２に出力する。
【００２２】
図６は、ＨＤＤ３からの再生の基本概念を示している。図６において、ＨＤＤ３のＡＶデータ領域に記録されている符号化データを再生し、再生符号化データとしてデコーダ２に出力する。
【００２３】
ここで、図４のＤＶＤ５からの再生の基本概念（１）、図５のＤＶＤ５からの再生の基本概念（２）、及び図６のＨＤＤ３からの再生の基本概念について、より詳細に説明する。図示していないが、デコーダ２、ＨＤＤ３、ディスクドライブ４はそれぞれ符号化データを記憶する小容量のバッファを備えている。ＤＶＤ５から再生した符号化データは、一旦ディスクドライブ４のバッファに記憶される。そして、ＤＶＤ５からの再生の基本概念（１）の場合、ディスクドライブ４からＨＤＤ３への符号化データの転送は、ＨＤＤ３に備えるバッファに空きがあるに場合に行われる。また、ＤＶＤ５からの再生の基本概念（２）の場合、ディスクドライブ４からデコーダ２への符号化データの転送は、デコーダ２に備えるバッファに空きがあるに場合に行われる。同様に、ＨＤＤ３からの再生の基本概念の場合、ＨＤＤ３からデコーダ２への符号化データの転送は、デコーダ２に備えるバッファに空きがあるに場合に行われる
図７は、本発明の図２〜図６に示した基本概念を、纏めて示したものである。
【００２４】
次に、図８〜図１３を用いて、本発明のＨＤＤ３とＤＶＤ５を用いた同時記録再生の各種概念を説明する。
【００２５】
図８は、本発明の同時記録再生の、ＤＶＤ５への記録とＤＶＤ５からの再生の概念（１）を示している。図８の概念は、図２の基本概念と図４の基本概念を組み合わせたものである。図８において、エンコーダ１から出力された記録符号化データを、一旦ＨＤＤ３のキャッシュ領域に記憶し、次いで、キャッシュ領域に記憶された記録符号化データを再生してＤＶＤ５に記録する。同時に、ＤＶＤ５に記録されている符号化データを再生し、再生符号化データとして一旦ＨＤＤ３のキャッシュ領域に記憶し、次いで、キャッシュ領域に記憶された再生符号化データを再生してデコーダ２に出力する。
【００２６】
この場合、通常は再生動作を優先するようにしてあり、記録符号化データを一旦ＨＤＤ３のキャッシュ領域に記憶し、ＤＶＤ５に記録されている符号化データを再生することに影響が無い範囲で、キャッシュ領域に記憶された記録符号化データを再生してＤＶＤ５に記録する。ＤＶＤ５への記録が間に合わない場合は、ＨＤＤ３のキャッシュ領域に記録符号化データが蓄積される。ＨＤＤ３の記憶容量は大きいので、キャッシュ領域として十分に大きな容量が確保し得る。
【００２７】
図９は、本発明の同時記録再生の、ＤＶＤ５への記録とＤＶＤ５からの再生の概念（２）を示している。図９の概念は、図２の基本概念と図５の基本概念を組み合わせたものであり、図８の概念との違いは、ＤＶＤ５に記録されている符号化データを再生する際、ＨＤＤ３のキャッシュ領域を使用すること無しに、直接デコーダ２に出力する点である。
【００２８】
図１０は、本発明の同時記録再生の、ＤＶＤ５への記録とＨＤＤ３からの再生の概念を示している。図１０の概念は、図２の基本概念と図６の基本概念を組み合わせたものである。図１０において、エンコーダ１から出力された記録符号化データを、一旦ＨＤＤ３のキャッシュ領域に記憶し、次いで、キャッシュ領域に記憶された記録符号化データを再生してＤＶＤ５に記録する。同時に、ＨＤＤ３のＡＶデータ領域に記録されている符号化データを再生し、再生符号化データとしてデコーダ２に出力する。
【００２９】
図１１は、本発明の同時記録再生の、ＨＤＤ３への記録とＨＤＤ３からの再生の概念を示している。図１１の概念は、図３の基本概念と図６の基本概念を組み合わせたものである。図１１において、エンコーダ１から出力された記録符号化データを、ＨＤＤ３のＡＶデータ領域に記録する。同時に、ＨＤＤ３のＡＶデータ領域に記録されている符号化データを再生し、再生符号化データとしてデコーダ２に出力する。
【００３０】
図１２は、本発明の同時記録再生の、ＨＤＤ３への記録とＤＶＤ５からの再生の概念（１）を示している。図１２の概念は、図３の基本概念と図４の基本概念を組み合わせたものである。図１２において、エンコーダ１から出力された記録符号化データを、ＨＤＤ３のＡＶデータ領域に記録する。同時に、ＤＶＤ５に記録されている符号化データを再生し、再生符号化データとして一旦ＨＤＤ３のキャッシュ領域に記憶し、次いで、キャッシュ領域に記憶された再生符号化データを再生してデコーダ２に出力する。
【００３１】
図１３は、本発明の同時記録再生の、ＨＤＤ３への記録とＤＶＤ５からの再生の概念（２）を示している。図１３の概念は、図３の基本概念と図５の基本概念を組み合わせたものであり、図１２の概念との違いは、ＤＶＤ５に記録されている符号化データを再生する際、ＨＤＤ３のキャッシュ領域を使用すること無しに、直接デコーダ２に出力する点である。
【００３２】
以上述べた図２、図４、図７〜図１３の記録（書き込み）、再生（読み出し）は、実際は時分割で行われるが、ユーザから見れば実質上同時に記録再生される。
【００３３】
次に、図１４〜図１６を用いて、本発明のＨＤＤ３とＤＶＤ５を用いた同時記録再生における、ＨＤＤ３とディスクドライブ４の動作を説明する。ここでは、ＨＤＤ３のＡＶデータ領域を用いた記録再生を省略し、リムーバブルディスク記録媒体ＤＶＤ５を用いた記録再生について説明する。
【００３４】
ＤＶＤ５へ記録する時は、図１４において、スタートすると、記録再生制御部６は、ステップ１１において、ＨＤＤ３のキャッシュ領域が再生中で無く記憶可能であるか否かを判断し、再生中で記憶が不可能であると判断した時はステップ１３へ進む。キャッシュ領域が再生中で無く記憶可能であると判断した時は、キャッシュ領域にエンコーダ１から出力された記録符号化データを記憶する（ステップ１２）。次に、ＨＤＤ３のキャッシュ領域から再生可能であるか否かを判断し（ステップ１３）、再生不可能であると判断した時はステップ１７へ進む。キャッシュ領域から再生可能であると判断した時は、キャッシュ領域から記録符号化データを再生する（ステップ１４）。続いて、ステップ１５において、ＤＶＤ５に記録可能であるか否かを判断し、ＤＶＤ５に記録不可能であると判断した時はステップ１７へ進み、ＤＶＤ５に記録可能であると判断した時は、ＤＶＤ５にリムーバブル記録データを記録する（ステップ１６）。最後に、ステップ１７において、エンコーダ１から出力された記録符号化データが無くなり、且つＨＤＤ３のキャッシュ領域が空になったか否かを判断し、記録符号化データが有るか、或いはキャッシュ領域が空でないと判断した時は、ステップ１１に戻ってステップ１１からの処理を繰り返す。記録符号化データが無くなり、且つキャッシュ領域が空になったと判断した時は、この記録動作を終了する。
【００３５】
ＤＶＤ５からＨＤＤ３のキャッシュ領域を使用して再生する時は、図１５において、スタートすると、記録再生制御部６は、ステップ２１において、ＤＶＤ５から再生可能であるか否かを判断し、再生不可能であると判断した時はステップ２５へ進む。ＤＶＤ５から再生可能であると判断した時は、ＤＶＤ５からリムーバブル再生データを再生する（ステップ２２）。続いて、ステップ２３において、ＨＤＤ３のキャッシュ領域に記憶可能であるか否かを判断し（ステップ２３）、記憶が不可能であると判断した時はステップ２５へ進む。キャッシュ領域に記憶可能であると判断した時は、キャッシュ領域にＤＶＤ５から再生したリムーバブル再生データを記憶する（ステップ２４）。次に、ステップ２５において、ＨＤＤ３のキャッシュ領域から再生可能であるか否かを判断し、再生が不可能であると判断した時はステップ２７へ進む。キャッシュ領域から再生可能であると判断した時は、キャッシュ領域から再生符号化データを再生する（ステップ２６）。最後に、ステップ２７において、ＤＶＤ５から出力されたリムーバブル再生データが無くなり、且つＨＤＤ３のキャッシュ領域が空になったか否かを判断し、リムーバブル再生データが有るか、或いはキャッシュ領域が空でないと判断した時は、ステップ２１に戻ってステップ２１からの処理を繰り返す。リムーバブル再生データが無くなり、且つキャッシュ領域が空になったと判断した時は、この再生動作を終了する。
【００３６】
ＤＶＤ５からＨＤＤ３のキャッシュ領域を使用すること無しに再生する時は、図１６において、スタートすると、記録再生制御部６は、ステップ３１において、ＤＶＤ５から再生可能であるか否かを判断し、ＤＶＤ５から再生可能であると判断した時は、ＤＶＤ５からリムーバブル再生データを再生する（ステップ３２）。次に、ステップ３３において、ＤＶＤ５から出力されたリムーバブル再生データが無くなったか否かを判断し、リムーバブル再生データが有ると判断した時は、ステップ３１に戻ってステップ３１からの処理を繰り返す。リムーバブル再生データが無くなったと判断した時は、この再生動作を終了する。
【００３７】
以上述べた図１４〜図１６の記録再生動作を同時に（実際は時分割して）行う。本発明のディスク記録再生装置は、ＤＶＤ５の記録速度が速くない場合でも、記録符号化データを一旦大容量のＨＤＤ３のキャッシュ領域に記憶するので、同時に記録と再生が可能になる。また、前述した従来例では、バッファメモリ手段３，６として通常高価な半導体メモリが使用されているが、本発明ではＨＤＤ３（のキャッシュ領域）を使用するので、コストを抑えることが可能になる。
【００３８】
【発明の効果】
以上述べたように、本発明のディスク記録再生装置は、同時に記録し再生することが出来、記録手段としてＤＶＤを使用しつつ、過去にＤＶＤに記録されていたＡＶデータ信号も再生することが出来るという効果がある。
【図面の簡単な説明】
【図１】本発明のディスク記録再生装置の構成を示す図である。
【図２】本発明のＨＤＤ３の記憶領域の構成及びＤＶＤ５への記録の基本概念を示す図である。
【図３】本発明のＨＤＤ３への記録の基本概念を示す図である。
【図４】本発明のＤＶＤ５からの再生の基本概念（１）を示す図である。
【図５】本発明のＤＶＤ５からの再生の基本概念（２）を示す図である。
【図６】本発明のＨＤＤ３からの再生の基本概念を示す図である。
【図７】本発明の図２〜図６の基本概念を纏めて示す図である。
【図８】本発明のＤＶＤ５への記録とＤＶＤ５からの再生の概念（１）を示す図である。
【図９】本発明のＤＶＤ５への記録とＤＶＤ５からの再生の概念（２）を示す図である。
【図１０】本発明のＤＶＤ５への記録とＨＤＤ３からの再生の概念を示す図である。
【図１１】本発明のＨＤＤ３への記録とＨＤＤ３からの再生の概念を示す図である。
【図１２】本発明のＨＤＤ３への記録とＤＶＤ５からの再生の概念（１）を示す図である。
【図１３】本発明のＨＤＤ３への記録とＤＶＤ５からの再生の概念（２）を示す図である。
【図１４】本発明のＨＤＤ３とディスクドライブ４の、記録時の動作のフローチャートを示す図である。
【図１５】本発明のＨＤＤ３とディスクドライブ４の、再生時（キャッシュ使用）の動作のフローチャートを示す図である。
【図１６】本発明のＨＤＤ３とディスクドライブ４の、再生時（キャッシュ不使用）の動作のフローチャートを示す図である。
【図１７】従来のディスク記録再生装置の構成を示す図である。
【符号の説明】
１　エンコーダ
２　デコーダ
３　ハードディスクドライブＨＤＤ
４　ＤＶＤディスクドライブ
５　リムーバブルディスク記録媒体ＤＶＤ
６　記録再生制御部
１１　入力メモリ手段
１２　圧縮処理手段
１３　バッファメモリ手段
１４　出力メモリ手段
１５　伸張処理手段
１６　バッファメモリ手段
１７　符号量制御手段
１８　バッファメモリ制御手段
１９　記録／再生切り換え用スイッチ
２０　インターフェース手段
２１　ＨＤＤ
２２　制御手段
【図１】
2004118944.tif 000003
【図２】
2004118944.tif 000004
【図３】
2004118944.tif 000005
【図４】
2004118944.tif 000006
【図５】
2004118944.tif 000007
【図６】
2004118944.tif 000008
【図７】
2004118944.tif 000009
【図８】
2004118944.tif 000010
【図９】
2004118944.tif 000011
【図１０】
2004118944.tif 000012
【図１１】
2004118944.tif 000013
【図１２】
2004118944.tif 000014
【図１３】
2004118944.tif 000015
【図１４】
2004118944.tif 000016
【図１５】
2004118944.tif 000017
【図１６】
2004118944.tif 000018
【図１７】
2004118944.tif 000019